(57)【要約】【課題】他部材との干渉を防ぎながら連続的な曲面を形成することができる曲面外壁固定構造を得る。【解決手段】上側外壁補強部材５０は、コーナ外壁３７の屋外壁部４４の屋内側に設けられていると共に、上端部８６が建物１２の躯体に固定されており、コーナ外壁３７の屋外壁部４４を屋内側から支持する第１補強壁部５８を有している。また、下側外壁補強部材５２は、上側外壁補強部材５０に対して屋内側に位置している。したがって、屋外壁部４４とバルコニ腰壁３６とを連続的に配置した上でバルコニ腰壁３６を傾けても、バルコニ腰壁３６と下側外壁補強部材５２との干渉を抑制することができる。つまり、外壁１８における柱２０に対応した部位も角度を付して、バルコニ腰壁３６全体を連続的な曲面にすることができる。これにより、他部材との干渉を防ぎながら連続的な曲面を形成することができる。【選択図】図４
2020070579.tif 000002
【特許請求の範囲】
【請求項１】
バルコニの屋外側に設けられかつ建物平面視にて円弧状に形成されたバルコニ腰壁と、
前記バルコニ腰壁の上方側に設けられていると共に、建物の屋外側面に設けられた外壁と連続する屋外壁部を有するコーナ外壁と、
建物上下方向に延設されかつ前記コーナ外壁の屋外壁部の屋内側に設けられていると共に、上端部が前記建物の躯体に固定され、前記屋外壁部を屋内側から支持する第１補強壁部を有する上側外壁補強部材と、
建物上下方向に延設されかつ前記バルコニ腰壁に対応する位置に設けられていると共に、下端部が前記建物の躯体に固定され、上端部が前記上側外壁補強部材の屋内側に接合されている下側外壁補強部材と、
を有する曲面外壁固定構造。
【請求項２】
前記上側外壁補強部材は、前記第１補強壁部の前記バルコニ側の端部から屋内側へ延設された第２補強壁部によって長手方向に直交する断面形状がＬ字状に形成されており、
前記下側外壁補強部材は、前記第１補強壁部の屋内側に接合された第３補強壁部と、前記第２補強壁部の屋内側に接合された第４補強壁部とで長手方向に直交する断面形状がＬ字状に形成されている、
請求項１記載の曲面外壁固定構造。
【請求項３】
前記上側外壁補強部材の第２補強壁部は、前記コーナ外壁における前記屋外壁部と一体に設けられかつ前記バルコニの内側に設けられた外壁と連続的に設けられたバルコニ上部壁部を屋内側から支持すると共に、
前記下側外壁補強部材の第４補強壁部は、前記バルコニ腰壁と前記バルコニの内側に設けられた前記外壁との間に設けられたバルコニ下部壁部を屋内側から支持している、
請求項２記載の曲面外壁固定構造。
【請求項４】
前記上側外壁補強部材の上端部は、建物上下方向を厚さ方向とする板状に形成されかつ前記第１補強壁部の内側面と前記第２補強壁部の内側面とに端面が接合された上部梁固定部材を介して梁に固定されており、
前記下側外壁補強部材の下端部は、建物上下方向を厚さ方向とする板状に形成されかつ前記第３補強壁部の下端面と前記第４補強壁部の下端面とに上側面が接合された下部梁固定部材を介して梁に固定されている、
請求項２又は請求項３に記載の曲面外壁固定構造。
【請求項５】
前記上部梁固定部材及び前記下部梁固定部材は、前記梁における柱が取り付けられた部位の周囲に固定されていると共に、面直方向視にて当該柱と前記上側外壁補強部材又は前記下側外壁補強部材とに挟まれるそれぞれの部位の幅寸法が他の部位の幅寸法より狭くされている、
請求項４記載の曲面外壁固定構造。
【請求項６】
前記上部梁固定部材及び前記下部梁固定部材の板厚は  前記上側外壁補強部材及び前記下側外壁補強部材の板厚より厚くされている、
請求項４又は請求項５に記載の曲面外壁固定構造。
【請求項７】
前記上側外壁補強部材と、前記下側外壁補強部材とは、スペーサを介して接合されている、
請求項１〜請求項６のいずれか一項に記載の曲面外壁固定構造。
【発明の詳細な説明】
【技術分野】
【０００１】
本発明は、曲面外壁固定構造に関する。
【背景技術】
【０００２】
下記特許文献１には、外壁構造が開示されている。この外壁構造は、複数の外壁パネルを有していると共に、それぞれの外壁パネルにそれぞれ角度をつけて配置することで、建物の外壁の一部に建物平面視にて曲面状の曲面外壁を形成している。なお、一部の外壁パネルは、断面形状が矩形とされた柱に支持されており、これによって建物の躯体に曲面外壁が取り付けられている。
【先行技術文献】
【特許文献】
【０００３】
【特許文献１】特開２００６−１３８１０５号公報
【発明の概要】
【発明が解決しようとする課題】
【０００４】
ここで、複数の外壁パネルのうち、柱に対応する外壁パネルは、柱に沿うように配置されているため、角度をつけることができない。つまり、曲面外壁における柱に対応した部位は、建物平面視にて直線状になる。このため、曲面外壁は、連続的な曲面にならずに外観意匠性が低下する可能性がある。これに対応するため、柱に対応した外壁パネルも傾けることで、連続した曲面にすることが考えられる。この場合、建物のバルコニの腰壁を曲面にする際は、腰壁を構成する複数の外壁パネルのうち柱に対応した外壁パネルを傾けることになるが、バルコニの内部かつ腰壁の上方側に設けられた曲面ではない外壁が、当該柱に沿うように固定される。したがって、外観意匠性を考慮して腰壁の外壁パネルを、柱に沿って固定されたバルコニの内部の外壁と連続的に配置した上で、腰壁の外壁パネルを傾けようとすると、当該外壁パネルが柱や柱への取付部材に干渉する可能性がある。このため、上記先行技術はこの点で改良の余地がある。
【０００５】
本発明は上記問題を考慮し、他部材との干渉を防ぎながら連続的な曲面を形成することができる曲面外壁固定構造を得ることを目的とする。
【課題を解決するための手段】
【０００６】
第１の態様に係る曲面外壁固定構造は、バルコニの屋外側に設けられかつ建物平面視にて円弧状に形成されたバルコニ腰壁と、前記バルコニ腰壁の上方側に設けられていると共に、建物の屋外側面に設けられた外壁と連続する屋外壁部を有するコーナ外壁と、建物上下方向に延設されかつ前記コーナ外壁の屋外壁部の屋内側に設けられていると共に、上端部が前記建物の躯体に固定され、前記屋外壁部を屋内側から支持する第１補強壁部を有する上側外壁補強部材と、建物上下方向に延設されかつ前記バルコニ腰壁に対応する位置に設けられていると共に、下端部が前記建物の躯体に固定され、上端部が前記上側外壁補強部材の屋内側に接合されている下側外壁補強部材と、を有している。
【０００７】
第２の態様に係る曲面外壁固定構造は、第１の態様に係る発明において、前記上側外壁補強部材は、前記第１補強壁部の前記バルコニ側の端部から屋内側へ延設された第２補強壁部によって長手方向に直交する断面形状がＬ字状に形成されており、前記下側外壁補強部材は、前記第１補強壁部の屋内側に接合された第３補強壁部と、前記第２補強壁部の屋内側に接合された第４補強壁部とで長手方向に直交する断面形状がＬ字状に形成されている。
【０００８】
第３の態様に係る曲面外壁固定構造は、第２の態様に係る発明において、前記上側外壁補強部材の第２補強壁部は、前記コーナ外壁における前記屋外壁部と一体に設けられかつ前記バルコニの内側に設けられた外壁と連続的に設けられたバルコニ上部壁部を屋内側から支持すると共に、前記下側外壁補強部材の第４補強壁部は、前記バルコニ腰壁と前記バルコニの内側に設けられた前記外壁との間に設けられたバルコニ下部壁部を屋内側から支持している。
【０００９】
第４の態様に係る曲面外壁固定構造は、第２又は第３の態様に係る発明において、前記上側外壁補強部材の上端部は、建物上下方向を厚さ方向とする板状に形成されかつ前記第１補強壁部の内側面と前記第２補強壁部の内側面とに端面が接合された上部梁固定部材を介して梁に固定されており、前記下側外壁補強部材の下端部は、建物上下方向を厚さ方向とする板状に形成されかつ前記第３補強壁部の下端面と前記第４補強壁部の下端面とに上側面が接合された下部梁固定部材を介して梁に固定されている。
【００１０】
第５の態様に係る曲面外壁固定構造は、第４の態様に係る発明において、前記上部梁固定部材及び前記下部梁固定部材は、前記梁における柱が取り付けられた部位の周囲に固定されていると共に、面直方向視にて当該柱と前記上側外壁補強部材又は前記下側外壁補強部材とに挟まれるそれぞれの部位の幅寸法が他の部位の幅寸法より狭くされている。
【００１１】
第６の態様に係る曲面外壁固定構造は、第４又は第５の態様に係る発明において、前記上部梁固定部材及び前記下部梁固定部材の板厚は前記上側外壁補強部材及び前記下側外壁補強部材の板厚より厚くされている。
【００１２】
第７の態様に係る曲面外壁固定構造は、第１〜第６の態様のいずれか一つの態様に係る発明において、前記上側外壁補強部材と、前記下側外壁補強部材とは、スペーサを介して接合されている。
【００１３】
第１の態様によれば、曲面外壁固定構造は、バルコニ腰壁と、コーナ外壁と、上側外壁補強部材と、下側外壁補強部材とを有している。バルコニ腰壁は、バルコニの屋外側に設けられかつ建物平面視にて円弧状に形成されている。コーナ外壁は、バルコニ腰壁の建物上方部に設けられており、建物の屋外側面の外壁と連続する屋外壁部を有している。上側外壁補強部材は、建物上下方向に延設されかつコーナ外壁の屋外壁部の屋内側に設けられていると共に、上端部が建物の躯体に固定されている。また、上側外壁補強部材は、コーナ外壁の屋外壁部を屋内側から支持する第１補強壁部を有している。下側外壁補強部材は、建物上下方向に延設されかつバルコニ腰壁に対応する位置に設けられていると共に、下端部が建物の躯体に固定されている。また、下側外壁補強部材は、上端部が上側外壁補強部材の屋内側に接合されている。つまり、上側外壁補強部材と下側外壁補強部材とは、建物上下方向にて連結されていると共に、コーナ外壁を建物の躯体に確実に固定している。また、下側外壁補強部材が、上側外壁補強部材に対して屋内側に位置している。したがって、屋外壁部とバルコニ腰壁とを連続的に配置した上でバルコニ腰壁を屋内側へ傾けても、下側外壁補強部材が屋内側に位置していることで、バルコニ腰壁と下側外壁補強部材との干渉を抑制することができる。つまり、バルコニ腰壁における柱に対応した部位も角度を付してバルコニ腰壁全体を連続的な曲面にすることができる。
【００１４】
第２の態様によれば、上側外壁補強部材は、第１補強壁部と第２補強壁部とで長手方向に直交する断面形状がＬ字状に形成されている。この第２補強壁部は、第１補強壁部のバルコニ側の端部から屋内側へ延設されている。一方、下側外壁補強部材は、第３補強壁部と第４補強壁部とで長手方向に直交する断面形状がＬ字状に形成されている。第３補強壁部は、上側外壁補強部材の第１補強壁部の屋内側に接合されている。第４補強壁部は、上側外壁補強部材の第２補強壁部の屋内側に接合されている。つまり、上側外壁補強部材と下側外壁補強部材とは、連続したＬ字状の断面形状となる。したがって、上側外壁補強部材と下側外壁補強部材との曲げ剛性が一体的に向上する。これにより、上側外壁補強部材に取り付けられたコーナ外壁の建物の躯体への取り付け剛性を向上させることができる。
【００１５】
第３の態様によれば、上側外壁補強部材の第２補強壁部は、コーナ外壁における屋外壁部と一体に設けられかつバルコニの内側に設けられた外壁と連続的に設けられたバルコニ上部壁部を屋内側から支持している。また、下側外壁補強部材の第４補強壁部は、バルコニ腰壁と、バルコニの内側に設けられた外壁との間に設けられたバルコニ下部壁部を屋内側から支持している。つまり、バルコニに面する上側外壁補強部材及び下側外壁補強部材を含めた建物の躯体は、外壁と、バルコニ上部壁部と、バルコニ下部壁部とにより覆われている。これにより、耐火性能をより向上させることができる。
【００１６】
第４の態様によれば、上側外壁補強部材の上端部は、上部梁固定部材を介して梁に固定されている。この上部梁固定部材は、建物上下方向を厚さ方向とする板状に形成されてかつ端面が第１補強壁部の内側面と第２補強壁部の内側面とにそれぞれ接合されている。一方、下側外壁補強部材の下端部は、下部梁固定部材を介して梁に固定されている。この下部梁固定部材は、建物上下方向を厚さ方向とする板状に形成されかつ上側面が第３補強壁部の下端面と第４補強壁部の下端面とにそれぞれ接合されている。つまり、上側外壁補強部材に対して屋内側に位置する下側外壁補強部材の下端部は、下部梁固定部材の端面ではなく上側面に接合されているため、平面視での下部梁固定部材のサイズを上部梁固定部材に対して大きく変える必要がない。したがって、上側外壁補強部材の梁に対する取り付け剛性と、下側外壁補強部材の梁に対する取り付け剛性との差を小さくすることができる。
【００１７】
第５の態様によれば、上部梁固定部材及び下部梁固定部材は、梁における柱が取り付けられた部位の周囲に固定されている。また、上部梁固定部材及び下部梁固定部材は、面直方向視にて柱と上側外壁補強部材又は下側外壁補強部材とに挟まれるそれぞれの部位の幅寸法が他の部位の幅寸法より狭くされている。したがって、柱に耐火被覆材が巻きつけられる場合でも、この耐火被覆材と、上部梁固定部材及び下部梁固定部材との干渉量を少なくすることができる。これにより、施工が容易となる。
【００１８】
第６の態様によれば、上部梁固定部材及び下部梁固定部材の板厚は、上側外壁補強部材及び下側外壁補強部材の板厚より厚くされていることから、上側外壁補強部材及び下側外壁補強部材の梁に対する取り付け剛性をより向上させることができる。
【００１９】
第７の態様によれば、上側外壁補強部材と、下側外壁補強部材とは、スペーサを介して接合されていることから、スペーサの厚さを調整することで上側外壁補強部材に対して屋内側に位置する下側外壁補強部材の位置を調整することができる。したがって、傾けられたバルコニ腰壁の角度に応じて下側外壁補強部材の位置を容易に調整することができる。
【発明の効果】
【００２０】
以上説明したように、本発明に係る曲面外壁固定構造は、他部材との干渉を防ぎながら連続的な曲面を形成することができるという優れた効果を有する。
【図面の簡単な説明】
【００２１】
【図１】一実施形態に係る曲面外壁固定構造を有する建物を示す概略斜視図である。
【図２】一実施形態に係る曲面外壁固定構造を有する建物のバルコニ腰壁等を拡大して示す概略斜視図である。
【図３】一実施形態に係る曲面外壁固定構造の要部を上方側から見た状態を示す断面図である。
【図４】一実施形態に係る曲面外壁固定構造の要部を屋内側から見た状態を示す概略斜視図である。
【図５】図４におけるＺ部を拡大して示す概略斜視図である。
【図６】一実施形態に係る曲面外壁固定構造の上部梁固定部材を示す概略斜視図である。
【図７】一実施形態に係る曲面外壁固定構造の下部梁固定部材を示す概略斜視図である。
【発明を実施するための形態】
【００２２】
以下、図１〜図７を用いて、本発明に係る曲面外壁固定構造の一実施形態について説明する。
【００２３】
（全体構成）
図１に示されるように、曲面外壁固定構造１０を有する建物１２は、一例として鉄骨軸組構造で建物躯体が構築されており、図示しない基礎上に設けられた一階部１４と、一階部１４の建物上下方向上側に設けられる二階部１６とを有している。以後の説明では、建物の桁方向をＸ方向、妻方向をＹ方向、上下方向（高さ方向）をＺ方向と称する。Ｘ方向、Ｙ方向及びＺ方向は、互いに直交する。Ｘ方向及びＹ方向は、上下方向と交差する横方向の一例である。
【００２４】
建物１２は、建物１２の外形を形成する外壁１８と、躯体の一部を構成する柱２０及び梁としての天井梁（不図示）及び床梁２２（図３参照）とを含んで構成されている。外壁１８は、Ｚ方向を長手方向とする複数のＡＬＣパネル２４（図３参照）を、窓部２６を除いてＸ方向及びＹ方向に並べることで構成されている。ＡＬＣパネル２４は、板状の軽量気泡コンクリートにより構成されている。
【００２５】
建物１２の正面側におけるＸ方向の略中央部には、曲面外壁部２８と玄関部３０とが設けられており、この曲面外壁部２８は、Ｙ方向に沿って屋外側へ凸状に湾曲されており、建物平面視にて１８０°の円弧状に形成されている。
【００２６】
玄関部３０は、一階部１４における一部に設けられており、外壁１８に形成された図示しない玄関開口を開閉する玄関ドア３２を介して建物１２の屋内側と屋外側との往来が可能とされている。
【００２７】
（バルコニ）
曲面外壁部２８における二階部１６に対応した部位の一部には、バルコニ３４が設けられている。このバルコニ３４は、建物１２の屋内にて曲面外壁部２８の頂点部ＴからＹ方向に沿って屋内側へ延設された図示しない区画壁よりＸ方向の一方側の範囲に設けられている。なお、曲面外壁部２８における区画壁を挟んでバルコニ３４と反対側の屋内部は、二階部１６の居室の一部とされており、当該部位のＺ方向下方側には玄関部３０が配置されている。このバルコニ３４と、Ｘ方向に隣接する居室との間、すなわち建物平面視にて曲面外壁部２８の頂点部Ｔには、図３に示されるように、Ｚ方向に延設された柱２０と、当該柱２０の下端部が結合された二階部１６の床梁２２と、当該柱２０の上端部が結合された図示しない二階部１６の天井梁とが設けられている。床梁２２は、柱２０からＹ方向に沿って屋内側へ延設された部位と、柱２０からＸ方向に沿って屋外側へ向かうに連れて屋内側へと湾曲された部位とを含んで構成されている。そして、天井梁も床梁２２と同様の構成とされている。また、図１に示されるように、曲面外壁部２８におけるバルコニ３４のＺ方向下方側の屋内部は、一階部１４の居室の一部とされている。
【００２８】
（バルコニ腰壁）
バルコニ３４は、バルコニ腰壁３６と、コーナ外壁３７と、バルコニ３４の内部に設けられた外壁としてのバルコニ内外壁４１（図３参照）とを含んで構成されている。バルコニ腰壁３６は、バルコニ３４の屋外側に設けられかつ曲面外壁部２８に沿って円弧状に形成されている。すなわち、バルコニ腰壁３６は、建物平面視にて屋外側へ向かって凸状の湾曲とされている。また、バルコニ腰壁３６は、二階部１６の床部からバルコニ３４の高さの半分程度の高さに延設されている。このバルコニ腰壁３６は、図３に示されるように、腰壁フレーム３８と、複数のＡＬＣパネル４０と、サイディング材４２とを含んで構成されている。腰壁フレーム３８は、建物平面視にて屋外側へ向かって凸状の湾曲に形成されかつ図示しない締結構造により建物１２の躯体に固定されている。
【００２９】
ＡＬＣパネル４０は、軽量気泡コンクリートにより構成されたＺ方向を長手方向とする矩形板状に形成されており（図２参照）、腰壁フレーム３８の屋外側に複数取り付けられている。なお、ＡＬＣパネル２４は、湾曲した腰壁フレーム３８に沿うように隣接する他のＡＬＣパネル４０や外壁１８のＡＬＣパネル２４に対してそれぞれ角度を付して取り付けられている。すなわち、複数のＡＬＣパネル４０のうち柱２０に対応したＡＬＣパネル４０も角度を付した状態とされている。また、ＡＬＣパネル４０同士の間や、ＡＬＣパネル４０と外壁１８のＡＬＣパネル２４との間には、隙間が設けられており、当該隙間に図示しない防水シール材が設けられている。なお、バルコニ３４と頂点部Ｔを挟んで反対側の他の居室との境界に相当する、ＡＬＣパネル４０と外壁１８のＡＬＣパネル２４とは、連続的に配置されている。すなわち、外壁１８のＡＬＣパネル２４と隣接するＡＬＣパネル４０におけるＡＬＣパネル２４側かつＹ方向にて屋外側の稜線４０Ａと、これとＸ方向にて対向するＡＬＣパネル２４におけるＡＬＣパネル４０側かつＹ方向にて屋外側の稜線２４Ａとは、Ｙ方向にて略同一の位置となるように配置されている。
【００３０】
サイディング材４２は、板状に形成されており、腰壁フレーム３８の屋内側に複数取り付けられている。このサイディング材４２は、ＡＬＣパネル４０と比べて板厚が薄く設定されている。なお、サイディング材４２は、ＡＬＣパネル４０と同様に、湾曲した腰壁フレーム３８に沿うように隣接する他のサイディング材４２に対してそれぞれ角度を付して取り付けられている。
【００３１】
（コーナ外壁）
図２に示されるように、バルコニ腰壁３６のＺ方向上方側には、Ｚ方向を長手方向とするコーナ外壁３７が設けられている。具体的には、コーナ外壁３７は、バルコニ腰壁３６とバルコニ３４のＺ方向上方側の外壁１８におけるＡＬＣパネル２４の下端部との間に設けられている。コーナ外壁３７は、図３に示されるように、屋外壁部４４と、バルコニ上部壁部４６とでＺ方向に直交する断面形状がＬ字状とされた軽量気泡コンクリートにより構成されている。屋外壁部４４は、バルコニ腰壁３６のＡＬＣパネル４０と同様に、隣接する外壁１８のＡＬＣパネル２４と連続して屋外側に面している。なお、コーナ外壁３７は、屋外壁部４４と、バルコニ上部壁部４６とがそれぞれ柱２０の側面と平行になるように配置されており、屋外壁部４４の板厚は、外壁１８のＡＬＣパネル２４の板厚と略同一とされている。
【００３２】
バルコニ上部壁部４６は、屋外壁部４４のバルコニ３４側の端部から屋外壁部４４の略面直方向に沿って屋内側へ延設されている。バルコニ上部壁部４６の板厚は、バルコニ３４内にて隣接するバルコニ内外壁４１のＡＬＣパネル２４の板厚と略同一とされている。
【００３３】
バルコニ内外壁４１は、バルコニ３４の内側に設けられている。具体的には、バルコニ３４と二階部１６の居室とを区画するように建物平面視にて略Ｌ字状に形成されており、外壁１８と同様に複数のＡＬＣパネル２４を並べて構成されている（図では一部のみ図示）。
【００３４】
（上側外壁補強部材）
図４に示されるように、コーナ外壁３７は、外壁補強部材４８を介して建物１２の躯体に固定されている。この外壁補強部材４８は、上側外壁補強部材５０と、下側外壁補強部材５２と、上部梁固定部材５４と、下部梁固定部材５６とを含んで構成されている。上側外壁補強部材５０は、外壁補強部材４８の上部を構成しかつＺ方向に延設されていると共に、第１補強壁部５８と第２補強壁部６０とで断面Ｌ字状に形成されている。第１補強壁部５８は、略Ｙ方向を板厚方向とする板状に形成されており、コーナ外壁３７の屋外壁部４４における屋内側面に接合されている（図３参照）。換言すると、第１補強壁部５８は、コーナ外壁３７の屋外壁部４４に対応した位置に設けられている。
【００３５】
第２補強壁部６０は、略Ｘ方向を板厚方向とする板状に形成されており、第１補強壁部５８のバルコニ３４側の端部から略Ｙ方向に沿って屋内側へ向けて延設されている。また、第２補強壁部６０は、コーナ外壁３７のバルコニ上部壁部４６における屋内側面に接合されている（図３参照）。
【００３６】
（下側外壁補強部材）
下側外壁補強部材５２は、外壁補強部材４８の下部を構成しており、上側外壁補強部材５０と同様にＺ方向に延設されている。また、下側外壁補強部材５２は、第３補強壁部６２と第４補強壁部６４とで断面Ｌ字状に形成されている。第３補強壁部６２は、略Ｙ方向を板厚方向とする板状に形成されており、上端部６６の屋外側面がスペーサ６８を介して上側外壁補強部材５０の第１補強壁部５８の下端部７０の屋内側面に接合されている（図３参照）。つまり、第３補強壁部６２は、第１補強壁部５８に対して屋内側に位置している。
【００３７】
第４補強壁部６４は、略Ｘ方向を板厚方向とする板状に形成されており、第３補強壁部６２のバルコニ３４側の端部から略Ｙ方向に沿って屋内側へ向けて延設されている。第４補強壁部６４の上端部７２の屋外側面は、スペーサ６８を介して上側外壁補強部材５０の第２補強壁部６０の下端部７４の屋内側面に接合されている（図３参照）。つまり、第４補強壁部６４は、第２補強壁部６０に対して屋内側に位置している。また、第４補強壁部６４には、後述するバルコニ下部壁部９２の屋内側面が接合されている（図３参照）。
【００３８】
（上部梁固定部材）
図６に示されるように、上部梁固定部材５４は、建物平面視にて略Ｖ字状かつＺ方向を板厚方向とする板状に形成されている。具体的には、上部梁固定部材５４は、第１延設辺部７６と、第２延設辺部７８と、第１固定辺部８０と、第２固定辺部８２とを有しており、略Ｘ方向に延設された第１延設辺部７６のバルコニ３４側の端部から略Ｙ方向に沿って屋内側へ第２延設辺部７８が延設されている。また、第１固定辺部８０は、第１延設辺部７６のバルコニ３４と反対側の端部から略Ｙ方向に沿って屋内側へ延設されている。さらに、第２固定辺部８２は、第２延設辺部７８の屋内側の端部から略Ｘ方向に沿ってバルコニ３４と反対側へ延設されている。第１固定辺部８０と第２固定辺部８２とには、それぞれ板厚方向に貫通された貫通孔８４が構成とされている。
【００３９】
上部梁固定部材５４は、上側外壁補強部材５０の上端部８６に接合されている。具体的には、上部梁固定部材５４の第１延設辺部７６における屋外側の端面８８が上側外壁補強部材５０の第１補強壁部５８の屋内側面に接合されている。また、上部梁固定部材５４の第２延設辺部７８におけるバルコニ３４側の端面９０が上側外壁補強部材５０の第２補強壁部６０の屋内側（バルコニ３４と反対側）面に接合されている。
【００４０】
（下部梁固定部材）
図７に示されるように、下部梁固定部材５６は、上部梁固定部材５４と同様に、建物平面視にて略Ｖ字状かつＺ方向を板厚方向とする板状に形成されている。具体的には、下部梁固定部材５６は、第１延設辺部９４と、第２延設辺部９６と、第１固定辺部９８と、第２固定辺部１００とを有しており、略Ｘ方向に延設された第１延設辺部９４のバルコニ３４側の端部から略Ｙ方向に沿って屋内側へ第２延設辺部９６が延設されている。また、第１固定辺部９８は、第１延設辺部９４のバルコニ３４と反対側の端部から略Ｙ方向に沿って屋内側へ延設されている。さらに、第２固定辺部１００は、第２延設辺部９６の屋内側の端部から略Ｘ方向に沿ってバルコニ３４と反対側へ延設されている。第１固定辺部９８と第２固定辺部１００とには、それぞれ板厚方向に貫通された貫通孔１０２が構成とされている。
【００４１】
下部梁固定部材５６は、下側外壁補強部材５２の下端部１０４に接合されている。具体的には、下部梁固定部材５６の上側面１０６が下側外壁補強部材５２の第３補強壁部６２の下端面１０８及び第４補強壁部６４の下端面１１０に接合されている。
【００４２】
図３に示されるように、下部梁固定部材５６は、床梁２２における柱２０が取り付けられた部位の周囲を取り囲むように床梁２２に固定されている。この床梁２２への固定は、柱２０の外周に巻き付けられたロックウール等により構成された耐火被覆材２１と隣接した位置にて、下部梁固定部材５６の第１固定辺部９８と第２固定辺部１００とのそれぞれの貫通孔１０２と、この貫通孔１０２に対応して床梁２２に形成された図示しない締結孔とに図示しない締結具を挿通させて締結すること固定されている。また、図示はしないが、上述した上部梁固定部材５４も、下部梁固定部材５６と同様に、天井梁における柱２０が取り付けられた部位の周囲を取り囲むように天井梁に固定されている。すなわち、上部梁固定部材５４の第１固定辺部８０と第２固定辺部８２とのそれぞれの貫通孔８４と、この貫通孔８４に対応して天井梁に形成された図示しない締結孔とに図示しない締結具を挿通させて締結すること固定されている。
【００４３】
また、下部梁固定部材５６は、面直方向（Ｚ方向）視にて柱２０と下側外壁補強部材５２とに挟まれる部位、すなわち、第１延設辺部９４と第２延設辺部９６とのそれぞれの幅寸法が第１固定辺部９８（又は第２固定辺部１００）の幅寸法よりも狭く設定されている。同様に、上述した上部梁固定部材５４も、面直方向（Ｚ方向）視にて柱２０と上側外壁補強部材５０とに挟まれる部位、すなわち、第１延設辺部７６と第２延設辺部７８とのそれぞれの幅寸法が第１固定辺部８０（又は第２固定辺部８２）の幅寸法よりも狭く設定されている（図４参照）。
【００４４】
（バルコニ下部壁部）
図４に示されるように、コーナ外壁３７におけるバルコニ上部壁部４６のＺ方向下方側には、バルコニ下部壁部９２が設けられている。このバルコニ下部壁部９２は、バルコニ腰壁３６におけるＡＬＣパネル４０と、バルコニ内外壁４１のＡＬＣパネル２４（図３参照）との間に設けられており、軽量気泡コンクリートにより構成されたＺ方向を長手方向とする矩形板状に形成されている。バルコニ下部壁部９２とＡＬＣパネル４０との間、バルコニ下部壁部９２とバルコニ内外壁４１のＡＬＣパネル２４との間、バルコニ下部壁部９２とバルコニ上部壁部４６との間及びバルコニ下部壁部９２とバルコニ３４の図示しない床部との間には、それぞれ図示しない防水シール材が設けられている。また、バルコニ下部壁部９２は、下側外壁補強部材５２の第４補強壁部６４によって屋内側から支持されている。
【００４５】
（実施形態の作用・効果）
次に、本実施形態の作用並びに効果を説明する。
【００４６】
本実施形態によれば、図３に示されるように、曲面外壁固定構造１０は、バルコニ腰壁３６と、コーナ外壁３７と、上側外壁補強部材５０と、下側外壁補強部材５２とを有している。バルコニ腰壁３６は、バルコニ３４の屋外側に設けられかつ建物平面視にて円弧状に形成されている。コーナ外壁３７は、バルコニ腰壁３６の建物上方部に設けられており、建物１２の屋外側面の外壁１８と連続する屋外壁部４４を有している。図４に示されるように、上側外壁補強部材５０は、Ｚ方向に延設されかつコーナ外壁３７の屋外壁部４４の屋内側に設けられていると共に、上端部８６が建物１２の躯体に固定されている。また、上側外壁補強部材５０は、コーナ外壁３７の屋外壁部４４を屋内側から支持する第１補強壁部５８を有している。下側外壁補強部材５２は、Ｚ方向に延設されかつバルコニ腰壁３６に対応する位置に設けられていると共に、下端部１０４が建物１２の躯体に固定されている。また、下側外壁補強部材５２は、上端部６６、７２が上側外壁補強部材５０の屋内側に接合されている。つまり、上側外壁補強部材５０と下側外壁補強部材５２とは、建物上下方向にて連結されていると共に、コーナ外壁３７を建物１２の躯体に確実に固定している。また、下側外壁補強部材５２が、上側外壁補強部材５０に対して屋内側に位置している。したがって、屋外壁部４４とバルコニ腰壁３６とを連続的に配置した上でバルコニ腰壁３６のＡＬＣパネル４０を屋内側へ傾けても、図５に示されるように、下側外壁補強部材５２が上側外壁補強部材５０に対して屋内側に位置していることで、バルコニ腰壁３６のＡＬＣパネル４０と下側外壁補強部材５２との干渉を抑制することができる。つまり、バルコニ腰壁３６における柱２０に対応した部位も角度を付して、バルコニ腰壁３６全体を連続的な曲面にすることができる。これにより、他部材との干渉を防ぎながら連続的な曲面を形成することができる。
【００４７】
また、図３に示されるように、上側外壁補強部材５０は、第１補強壁部５８と第２補強壁部６０とで長手方向に直交する断面形状がＬ字状に形成されている。この第２補強壁部６０は、第１補強壁部５８のバルコニ３４側の端部から屋内側へ延設されている。一方、下側外壁補強部材５２は、第３補強壁部６２と第４補強壁部６４とで長手方向に直交する断面形状がＬ字状に形成されている。第３補強壁部６２は、上側外壁補強部材５０の第１補強壁部５８の屋内側に接合されている。第４補強壁部６４は、上側外壁補強部材５０の第２補強壁部６０の屋内側に接合されている。つまり、上側外壁補強部材５０と下側外壁補強部材５２とは、連続したＬ字状の断面形状となる。したがって、上側外壁補強部材５０と下側外壁補強部材５２との曲げ剛性が一体的に向上する。これにより、上側外壁補強部材５０に取り付けられたコーナ外壁３７の建物１２の躯体への取り付け剛性を向上させることができる。
【００４８】
さらに、上側外壁補強部材５０の第２補強壁部６０は、コーナ外壁３７におけるバルコニ上部壁部４６を屋内側から支持している。また、下側外壁補強部材５２の第４補強壁部６４は、バルコニ腰壁３６とバルコニ３４の内側に設けられたバルコニ内外壁４１との間に設けられたバルコニ下部壁部９２（図４参照）を屋内側から支持している。つまり、バルコニ３４に面する上側外壁補強部材５０及び下側外壁補強部材５２を含めた建物１２の躯体は、耐火性を有する軽量気泡コンクリートにより構成された外壁１８、バルコニ上部壁部４６及びバルコニ下部壁部９２により覆われている。これにより、耐火性能をより向上させることができる。
【００４９】
さらにまた、図６に示されるように、上側外壁補強部材５０の上端部８６は、上部梁固定部材５４を介して天井梁に固定されている。この上部梁固定部材５４は、建物上下方向を厚さ方向とする板状に形成されてかつ端面８８、９０が第１補強壁部５８の内側面と第２補強壁部６０の内側面とにそれぞれ接合されている。一方、図７に示されるように、下側外壁補強部材５２の下端部１０４は、下部梁固定部材５６を介して床梁２２（図３参照）に固定されている。この下部梁固定部材５６は、建物上下方向を厚さ方向とする板状に形成されかつ上側面１０６が第３補強壁部６２の下端面１０８と第４補強壁部６４の下端面１１０とにそれぞれ接合されている。つまり、上側外壁補強部材５０に対して屋内側に位置する下側外壁補強部材５２の下端部１０４は、下部梁固定部材５６の端面ではなく上側面１０６に接合されているため、平面視での下部梁固定部材５６のサイズを上部梁固定部材５４に対して大きく変える必要がない。したがって、上側外壁補強部材５０の天井梁に対する取り付け剛性と、下側外壁補強部材５２の床梁２２に対する取り付け剛性との差を小さくすることができる。
【００５０】
また、図３に示されるように、上部梁固定部材５４及び下部梁固定部材５６は、天井梁及び床梁２２における柱２０が取り付けられた部位の周囲に固定されている。また、上部梁固定部材５４及び下部梁固定部材５６は、面直方向視にて柱２０と上側外壁補強部材５０又は下側外壁補強部材５２とに挟まれる第１延設辺部７６、９４、第２延設辺部７８、９６のそれぞれの幅寸法が他の部位の幅寸法より狭くされている。したがって、柱２０に耐火被覆材２１が巻きつけられる場合でも、この耐火被覆材２１と、上側外壁補強部材５０及び下側外壁補強部材５２との干渉量を少なくすることができる。これにより、施工が容易となる。
【００５１】
さらに、上部梁固定部材５４及び下部梁固定部材５６の板厚は、上側外壁補強部材５０及び下側外壁補強部材５２の板厚より厚くされていることから、上側外壁補強部材５０及び下側外壁補強部材５２の天井梁及び床梁２２に対する取り付け剛性をより向上させることができる。
【００５２】
さらにまた、上側外壁補強部材５０と、下側外壁補強部材５２とは、スペーサ６８を介して接合されていることから、スペーサ６８の厚さを調整することで上側外壁補強部材５０に対して屋内側に位置する下側外壁補強部材５２の位置を調整することができる。したがって、傾けられたバルコニ腰壁３６のＡＬＣパネル４０の角度に応じて下側外壁補強部材５２の位置を容易に調整することができる。
【００５３】
また、バルコニ腰壁３６におけるバルコニ３４の内部側は、ＡＬＣパネル４０よりも板厚が薄いサイディング材４２とされている。すなわち、バルコニ３４は、外壁１８と、バルコニ上部壁部４６と、バルコニ下部壁部９２とにより覆われていることで耐火性能を確保しているため、バルコニ腰壁３６におけるバルコニ３４の内部側を板厚が薄いサイディング材４２とすることで、バルコニ３４の内部を広くすることができる。
【００５４】
なお、本実施形態では、曲面外壁部２８が建物平面視にて１８０°の範囲にて屋外側へ凸となる円弧状に形成されているが、これに限らず、９０°等のその他の角度の範囲内における円弧状としてもよいし、屋内側へ凹となる円弧状としてもよい。
【００５５】
以上、本発明の実施形態について説明したが、本発明は、上記に限定されるものでなく、その主旨を逸脱しない範囲内において上記以外にも種々変形して実施することが可能であることは勿論である。
【符号の説明】
【００５６】
１０   曲面外壁固定構造
１２   建物
１８   外壁
２０   柱
２２   床梁（梁）
３４   バルコニ
３６   バルコニ腰壁
３７   コーナ外壁
４４   屋外壁部
４６   バルコニ上部壁部
５０   上側外壁補強部材
５２   下側外壁補強部材
５４   上部梁固定部材
５６   下部梁固定部材
５８   第１補強壁部
６０   第２補強壁部
６２   第３補強壁部
６４   第４補強壁部
６８   スペーサ
７４   上端部
７６   第１延設辺部
７８   第２延設辺部
８６   上端部
９２   バルコニ下部壁部
９４   第１延設辺部
９６   第２延設辺部
１０４ 下端部
【図１】
2020070579.tif 000003
【図２】
2020070579.tif 000004
【図３】
2020070579.tif 000005
【図４】
2020070579.tif 000006
【図５】
2020070579.tif 000007
【図６】
2020070579.tif 000008
【図７】
2020070579.tif 000009